(57)【特許請求の範囲】
【請求項１】
揮発性の液体を内容物として収納する容器本体と、この容器本体の内部に起立姿勢でもって配置され、該容器本体の口頚部より露出させた頭部を経て容器本体内の内容物を揮散させる含侵体とを備えた揮散用容器であって、
前記含侵体の頭部を収納する内部空間を有し、その下端を容器本体の口頚部の開口に適合させて該開口を密封するとともに該含侵体を起立姿勢に保持したまま容器本体に固定保持する固定栓と、前記容器本体の口頚部を取り囲む環状周壁を有し、その下端外側にて起立する短尺筒体との相互間にて上向きに開放された環状凹部が形成され該口頚部に固定保持されるベースキャップと、
前記固定栓を取り囲むとともに、その上端開放部を該固定栓の天面壁外周縁部に当接させてその内側に密封空間が形成される一方、前記ベースキャップの環状周壁に沿い昇降移動させて前記固定栓の内部空間に収納された前記含侵体の頭部の露出度合いを変更するカバーとを備え、
前記固定栓の周壁に、前記含侵体の外側面に連通して該含侵体に含侵させた内容物の揮散口を形成する窓孔が設けられ、
前記ベースキャップの環状凹部に、前記短尺筒体にて回転可能に抜け止め支持され、その回転に従って前記カバーを昇降移動させる回転筒部が設けられたことを特徴とする揮散用容器。
【請求項２】
前記回転筒部は、その内側壁にねじ部を有し、前記カバーは、その外側壁に、該内側壁のねじ部に係合する少なくとも１つの凸部を有し、前記カバーの内側壁に、前記ベースキャップの環状周壁に形成された縦溝に連係する縦リブが形成されたことを特徴とする請求項１に記載した揮散用容器。
【発明の詳細な説明】
【技術分野】
【０００１】
本発明は、カバーを上下に適宜スライドさせることによって含侵体の露出度合いを変更して内容物の揮散量の調整を行う揮散用容器に関するものである。
【背景技術】
【０００２】
液状の芳香剤や消臭剤等の内容物を揮散させる揮散用容器は、容器内に配置した含侵体に内容物を染み込ませ、容器の口部から露出させた含侵体の頭部を通して揮散させるか、容器内に配置した吸上げ芯を介して内容物を吸い上げ、その上端部に配置した揮散体を通して内容物を揮散させるのが普通であり、この点に関する先行技術としては、変形用のスリットが穿設され、その周縁部を固定した板状の揮散体を容器体の上部に設け、その下面中央を、容器体の上端開口部を閉塞するシール材を破断貫通して配置された吸上げ芯により上方に押し上げる構造からなる、例えば、特許文献１に開示された如き揮散用容器が知られている。
【先行技術文献】
【特許文献】
【０００３】
【特許文献１】特開２００７−６２８１９号公報
【０００４】
ところで、上記のような従来の揮散用容器、とくに、含侵体の露出度合いを適宜変更して内容物の揮散量を調整するタイプのものにあっては、一方の手で容器本体を把持し、もう一方の手で揮散体の出し入れを行う煩わしい操作を必要とするため、使い勝手がよいとはいえないものであって、その改善が求められていた。
【発明の開示】
【発明が解決しようとする課題】
【０００５】
本発明の課題は、構造の複雑化、部品点数の増加を伴うことなしに簡単な操作で内容物の揮散量の調整を行うことができる揮散用容器を提案するところにある。
【課題を解決するための手段】
【０００６】
本発明は、揮発性の液体を内容物として収納する容器本体と、この容器本体の内部に起立姿勢でもって配置され、該容器本体の口頚部より露出させた頭部を経て容器本体内の内容物を揮散させる含侵体とを備えた揮散用容器であって、前記含侵体の頭部を収納する内部空間を有し、その下端を容器本体の口頚部の開口に適合させて該開口を密封するとともに該含侵体を起立姿勢に保持したまま容器本体に固定保持する固定栓と、前記容器本体の口頚部を取り囲む環状周壁を有し、その下端外側にて起立する短尺筒体との相互間にて上向きに開放された環状凹部を形成して該口頚部に固定保持するベースキャップと、前記固定栓を取り囲むとともに、その上端開放部を該固定栓の天壁外周縁部に当接させてその内側に密封空間を形成する一方、前記ベースキャップの環状周壁に沿い昇降移動させて前記固定栓の内部空間に収納された前記含侵体の頭部の露出度合いを変更するカバーとを備え、前記固定栓の周壁に、前記含侵体の外側面に連通して該含侵体に含侵させた内容物の揮散口を形成する窓孔を設け、前記ベースキャップの環状凹部に、前記短尺筒体にて回転可能に抜け止め支持され、その回転に従って前記カバーを昇降移動させる回転筒部を設けたことを特徴とする揮散用容器である。
【０００７】
上記の構成からなる揮散用容器において、回転筒部の内側壁にねじ部を設け、前記カバーの外側壁に、該内側壁のねじ部に係合する少なくとも１つの凸部を設け、前記カバーの内側壁に、前記ベースキャップの環状周壁に形成された縦溝に連係する縦リブを形成するのが好ましい。
【発明の効果】
【０００８】
本発明の揮散用容器によれば、揮発性の液体を内容物として収納する容器本体と、この容器本体の内部に起立姿勢でもって配置され、該容器本体の口頚部より露出させた頭部を介して容器本体内の内容物を揮散させる含侵体とを備えた揮散用容器につき、内容物を揮散させる揮散機構を、含侵体の頭部を収納する内部空間を有し、その下端を容器本体の口頚部の開口に適合させて該開口を密封するとともに該含侵体を起立姿勢に保持したまま容器本体に固定保持する固定栓と、容器本体の口頚部を取り囲む環状周壁を有し、その下端外側にて起立する短尺筒体との相互間にて上向きに開放された環状凹部を形成して該口頚部に固定保持するベースキャップと、固定栓を取り囲むとともに、その上端開放部を該固定栓の天壁外周縁部に当接させてその内側に密封空間を形成し、かつ、ベースキャップの環状周壁に沿い昇降移動させて固定栓に収納された含侵体の頭部の露出度合いを変更するカバーとを備えたものにて構成し、該固定栓の周壁に、含侵体の外側面に連通して該含侵体に含侵させた内容物の揮散口を形成する窓孔を設け、ベースキャップの環状凹部に、短尺筒体にて回転可能に抜け止め支持され、その回転に従ってカバーを昇降移動させる回転筒部を設けるようにしたため、該回転筒部を回転させるだけの単純な操作でカバーが昇降移動することとなり、その上下レベルを適宜変更することで内容物の揮散量の調整が可能となる。
【０００９】
回転筒部は、容器本体を把持することなしに片手で回転させることができるため、すなわち、容器本体を載置したままで回転させることができるため、揮散量の調整を行うに際して一方の手で容器本体を把持し、もう一方の手で含侵体の出し入れを行う等の煩わしい操作を必要としない。
【００１０】
また、本発明に従う揮散用容器によれば、回転筒部の内側壁にねじ部を設け、カバーの外側壁に、該内側壁のねじ部に係合する少なくとも１つの凸部を設けるとともに、カバーの内側壁に、前記ベースキャップの環状周壁に形成された縦溝に連係する縦リブを形成したため、構造の複雑化を伴ったり、部品点数の増加を招くことなしにカバーを簡単かつ確実に昇降移動させることができる。
【図面の簡単な説明】
【００１１】
【図１】本発明に従う揮散用容器の実施の形態を断面について模式的に示した図（内容物の揮散を停止した状態）である。
【図２】図１に示した揮散用容器において、内容物の揮散量を最大とした状態を示した図である。
【図３】図１に示した揮散用容器の要部の外観形状を示した斜視図である。
【発明を実施するための形態】
【００１２】
以下、図面を用いて本発明をより具体的に説明する。
図１、図２は、本発明に従う揮散用容器（合成樹脂等で成形される）の実施の形態を模式的に示した図であり、図３は、その外観形状の斜視図を要部について示した図である。
【００１３】
図における符号１は、揮発性の液体、例えば、芳香剤、消臭剤、殺虫剤あるいは忌避剤（害虫、害獣除け薬剤）の如きを内容物として収納する容器本体である。この容器本体１は、上端開口を有する口頚部１ａと、この口頚部１ａの下端に肩部１ｂを通してつながる胴部１ｃと、この胴部１ｃの下端につながる底部１ｄにて構成されたボトル形状をなすものを例として示してあり、該容器本体１は、合成樹脂からなるプリフォームをブロー成形することによって成型される。
【００１４】
また、符号２は、容器本体１の内部に起立姿勢でもって配置された含侵体である。この含侵体２は、フェルトや撚糸の如き部材が適用されるものであって、容器本体１の口頚部１ａの上端開口より露出させた頭部２ａを介して内容物を揮散させることができるようになっている。
【００１５】
３は、固定栓である。この固定栓３は、含侵体２の頭部２ａを収納する、下向きに開放された内部空間Ｍを有し、該頭部２ａを係止する筒状体からなり、その下端を容器本体１の口頚部１ａの開口に差し込んで嵌合（適合）させることによって該上端開口を密封するものであって、この固定栓３によって含侵体２は、起立姿勢を保持したままで容器本体１に固定保持される。
【００１６】
上記固定栓３は、この例では、含侵体２の頭部２ａを取り囲む周壁３ａと、この周壁３ａの上端部に一体連結し、その縁部３ｂ１を外側に向けて突出させた天面壁３ｂとから構成されるものを例として示したが、図示のものには限定されない。
【００１７】
また、４は、固定栓３の周壁３ａの外周壁下側に径方向外側へ向けて突出するように一体的に設けられたフランジである。このフランジ４は、容器本体１の口頚部１ａの突端面にその下面を当接させて該固定栓３の位置決めを行うとともに、後述するベースキャップのフランジとの間で挟持して固定栓３を容器本体１に固定する。
【００１８】
５は、固定栓３の周壁３ａに設けられた窓孔である。この窓孔５は、対向位置に２つ設けた例として示してあり、含侵体２の頭部２ａの外側面に連通して該含侵体２に含侵させた内容物を揮散させるための揮散口を形成する。窓孔５の数や形状は含侵体２の形状やサイズに応じて適宜変更することができる。
【００１９】
６は、容器本体１の口頚部１ａにねじ止め可能なベースキャップである。このベースキャップ６は、容器本体１の口頚部１ａを取り囲む環状周壁６ａと、この環状周壁６ａの下端に一体的につながり外側へ向けて延出する底壁６ｂと、この底壁６ｂの縁部において立ち上がり該環状周壁６ａおよび底壁６ｂとの協働にて上向きに開放された環状凹部Ｎを形成する短尺筒体６ｃから構成されている。
【００２０】
上記のベースキャップ６は、環状周壁６ａの内側面にねじ部が設けられており、このねじ部を、口頚部１ａの外側面に形成したねじ部に係合させることで該口頚部１ａにおいて着脱自在に固定することができるが、アンダーカットによる係合手段を適用して固定することも可能であり、ベースキャップ６の固定形式についてはとくに限定はされない。
【００２１】
環状周壁６ａの上端部には、内側に向けて延出するフランジ部６ａ１を設けることができる。このフランジ部６ａ１で固定栓３の外周壁下側に設けられたフランジ４を容器本体１の口頚部１ａの突端面との間で挟持することによって固定栓３を容器本体１の口頚部１ａに固定する。
【００２２】
７は、ベースキャップ６の環状周壁６ａの外側でそれに沿って昇降移動可能なカバーである。このカバー７は、上端開放部７ａを有し、固定栓３を取り囲む環状の周壁を備えた、先細り形状をなす筒状体から構成されており、該上端開放部７ａの突端面を固定栓３の天面壁３ｂの外周縁部３ｂ１の下面に当接させることによって図１に示すように、その内側に密封空間Оを形成することができ、これにより、内容物の揮散が阻止される。
【００２３】
一方、該カバー７を、図２に示す如く、ベースキャップ６の環状周壁６ａに沿って適宜昇降移動させ、その上下レベルを調整することによって含侵体２の頭部２ａの露出度合い（窓孔５の露出度合い）が変更される。
【００２４】
８は、ベースキャップ６の環状周壁６ａの外周面に設けられた縦溝、９は、カバー７の内周面に設けられ、縦溝８に適合する縦リブである。縦リブ９が縦溝８に適合することによりカバー７は、環状障壁６ａの周りに沿う回転が阻止され、昇降移動のみが許容される。
【００２５】
縦溝８を、カバー７の内周面に設け、縦リブ９を、ベースキャップ６の環状周壁６ａに設けることも可能であり、この点についてはとくに限定されない。また、その本数は必要に応じて適宜設定される。
【００２６】
１０は、カバー７の外周部の少なくとも１箇所、好ましくは、等間隔で３箇所程度に設けることができる凸部（ねじ山）、１１は、ベースキャップ６の環状凹部Ｎに設けられた回転筒部である。この回転筒部１１は、カバー７をその内側に収める環状の周壁から構成されていて、その下端部が、アンダーカットの如き係合手段（凸部を凹部に連係させる構造のもの等）で短尺筒体６ｃに回転可能に抜け止め支持されている。
【００２７】
さらに、１２は、回転筒部１１の周壁の内側面に設けられ、カバー７の外周部に形成された凸部１０に係合するねじ部である。
【００２８】
回転筒部１１を時計周り、あるいは半時計周りに回転させると、該回転筒部１１のねじ部１２の溝に沿って凸部１０が移動し、それに従ってカバー７は、ベースキャップ６の環状周壁６ａに設けられた縦溝８に沿い直線的に昇降移動することとなり、該カバー７の上下レベルを適宜変えることで含侵体２の頭部２ａの露出度合いが変更され、これによって内容物の揮散量が調整される。図示の例では、固定栓３に窓孔５を設けてその部位から含侵体２に含侵させた内容物を揮散させるようにしたので、この場合、窓孔５の開口度合いが変更されることになる。
【００２９】
なお、凸部１０の如き突起を、回転筒部１１の内周面に設け、ねじ部１２を、カバー７の外周面に設けることも可能であり、これによっても回転筒部１１の回転によりカバー７を昇降移動させることができる。
【００３０】
本発明に従う揮散用容器は、容器本体１を載置したまま、回転筒部１１を回転させることによって内容物の揮散量の調整を可能（片手による操作が可能）とするものであるため、両手を使って含侵体の出し入れを行う従来のような煩わしい操作が不要であり、使い勝手が著しく改善される。
【００３１】
また、揮散用容器を構成する部材は、いずれのものも簡素化された筒型形状を有しており、部品点数も少なくて済む利点がある。
【産業上の利用可能性】
【００３２】
回転筒部の、片手による回転操作でもって内容物の揮散量の調整が行える使い勝手のよい揮散用容器が提供できる。
【符号の説明】
【００３３】
１      容器本体
１ａ    口頚部
１ｂ    肩部
１ｃ    胴部
１ｄ    底部
２      含侵体
２ａ    頭部
３      固定栓
３ａ    周壁
３ｂ    天面壁
４      フランジ
５      窓孔
６      ベースキャップ
６ａ    環状周壁
６ｂ    底壁
６ｃ    短尺筒体
７      カバー
８      縦溝
９      縦リブ
１０    凸部
１１    回転筒部
１１ａ  周壁
１１ｂ  アンダーカット
１２    ねじ部
Ｍ      内部空間
Ｎ      環状凹部
О      密閉空間
【図１】
0005964659.tif 000002
【図２】
0005964659.tif 000003
【図３】
0005964659.tif 000004